(57)【要約】【課題】  色空間規格が異なる複数の画像信号が混在する場合、モニタ側の色域の設定が切り替わることによる映像の色味の変化やトランジェントによる劣化等を防ぐ。【解決手段】  第１の色空間規格の画像信号と当該第１の色空間規格で規定される色域よりも広い色域の第２の色空間規格の画像信号とが時間的に切り替えられてビデオ・グラフィック・プロセッサ１２に供給され、ビデオ・グラフィック・プロセッサ１２は、第１の色空間規格の画像信号に対して色域を第２の色空間規格の色域に擬似的に拡張した擬似広色域信号に変換してＨＤＭＩ  Ｔｘ（トランスミッタ）１４に送り、ＨＤＭＩ  Ｔｘ１４は、擬似広色域信号及び第２の色空間規格の画像信号と、第２の色空間規格に固定された色空間情報とを伝送する。【選択図】  図１
2009038683.tif 000002
【特許請求の範囲】
【請求項１】
第１の色空間規格の画像信号と当該第１の色空間規格で規定される色域よりも広い色域の第２の色空間規格の画像信号とを処理して出力する画像信号出力装置であって、
上記第１の色空間規格の画像信号に対して色域を上記第２の色空間規格の色域に擬似的に拡張した擬似広色域信号に変換する色域変換処理手段と、
上記色域変換処理手段からの擬似広色域信号を含む画像信号と色空間情報とを伝送する伝送手段と、
上記第１の色空間規格の画像信号と上記第２の色空間規格の画像信号とが混在する画像信号を伝送する場合に、上記第１の色空間規格の画像信号を上記色域変換処理手段により上記第２の色空間規格の色域に擬似的に拡張し、擬似的に拡張された擬似広色域信号及び上記第２の色空間規格の画像信号と上記第２の色空間規格の色空間情報とを上記伝送手段により伝送するように制御する制御手段と
を有することを特徴とする画像信号出力装置。
【請求項２】
上記第１の色空間規格の画像信号と上記第２の色空間規格の画像信号とが混在する画像信号は、上記第１の色空間規格の画像信号と上記第２の色空間規格の画像信号とが時間的に切り替えられたものであることを特徴とする請求項１記載の画像信号出力装置。
【請求項３】
上記色域変換処理手段は、上記第１の色空間規格の画像信号の色信号成分について、信号レベルの所定の閾値以下の範囲とそれより上の範囲とでレベル変換ゲインを独立に制御することで色域に擬似的に上記第２の色空間規格の色域に拡張することを特徴とする請求項１記載の画像信号出力装置。
【請求項４】
上記色域変換処理手段は、上記第１の色空間規格の画像信号の色信号成分について、信号レベルの所定の閾値以下の範囲の信号をそのまま用い、所定の閾値より上の範囲の信号を上記第２の色空間規格の色域に拡張するようにレベル変換することを特徴とする請求項３記載の画像信号出力装置。
【請求項５】
上記伝送手段は、上記色空間情報として、上記第１の色空間規格又は上記第２の色空間規格のいずれかを示す識別フラグを伝送することを特徴とする請求項１記載の画像信号出力装置。
【請求項６】
第１の色空間規格の画像信号と当該第１の色空間規格で規定される色域よりも広い色域の第２の色空間規格の画像信号とを処理して出力する画像信号出力方法であって、
上記第１の色空間規格の画像信号に対して色域を上記第２の色空間規格の色域に擬似的に拡張した擬似広色域信号に変換する色域変換処理工程と、
上記色域変換処理により上記第２の色空間規格の色域に擬似的に拡張された擬似広色域信号を含む画像信号と色空間情報とを伝送する伝送工程とを有し、
上記第１の色空間規格の画像信号と上記第２の色空間規格の画像信号とが混在する画像信号を伝送する場合に、上記第１の色空間規格の画像信号を上記第２の色空間規格の色域に擬似的に拡張し、上記第２の色空間規格の色空間情報と共に伝送するように制御すること
を特徴とする画像信号出力方法。
【発明の詳細な説明】
【技術分野】
【０００１】
本発明は、色空間規格が異なる複数の画像信号（映像信号）を処理して出力する画像信号出力装置及び方法に関する。
【背景技術】
【０００２】
従来において、ディスプレイやＨＤＴＶ（High Definition TeleVision）の放送では、ｓＲＧＢ（ＩＥＣ（International Electrotechnical Commission）６１９６６−２−１）やＩＴＵ−Ｒ（International Telecommunication Union-Radiocommunication Sector）ＢＴ．７０９で規格化された色空間が広く使われているが、近年、広色域パネルの出現により、受像機側でｓＲＧＢを超える広色域の色表現が可能となっている。
【０００３】
すなわち、従来のＣＲＴ（陰極線管）を用いたディスプレイでは、例えばｓＲＧＢでカバーする色空間の内側にある色しか表示できず、自然界に存在する彩度の高い色は、ディスプレイを介して正しく見ることができなかった。しかしながら最近のディスプレイ技術によって、今までより広色域なディスプレイが出現してきており、代表的な広色域対応のディスプレイとしては、ＬＥＤ（発行ダイオード）のバックライトを使用した液晶テレビジョン受像機等が知られている。
【０００４】
このような広色域ディスプレイに適した映像信号（画像信号）の規格として、今までの信号と互換性を保ちつつ広色域化した映像信号仕様が検討され、ｘｖＹＣＣが規格化された。このｘｖＹＣＣは、国際電気標準会議（IEC）が国際標準（IEC 61966−2−4）として発行した規格であり、ＨＤＴＶ（High Definition TeleVision）で利用するＩＴＵ−Ｒ  ＢＴ．７０９の色域（ｓＲＧＢと同等）との互換性を確保しながら、色空間を広げたものである。そして、このｘｖＹＣＣによれば、現行の動画コンテンツの色空間規格「ＩＴＵ−Ｒ  ＢＴ．７０９」（静止画ではｓＲＧＢに相当）では表現できない色を表現することができる。
【０００５】
このｘｖＹＣＣのように広い色空間を用いた伝送の場合は、送り手と受け手の色空間は異なってくる場合があるので、送り手と受け手でｘｖＹＣＣ信号が伝送されていることを認識し正しい表示を行うことが必要になる。このために、例えば、ＨＤＭＩ（High-Definition Multimedia Interface）を使って、映像信号とともに色空間情報を、ソース機器から受信することも可能となっており、ＨＤＭＩバージョン１．３から、メタデータとｘｖＹＣＣ色空間の定義が追加された。
【０００６】
すなわち、ＨＤＭＩ規格の属性データとしてのＡＶＩ（Auxiliary Video Information）InfoFrameには、今までは、ＳＭＰＴＥ  １７０Ｍ／ＩＴＵ６０１若しくは、ＩＴＵ７０９の色空間しか定義されていなかったため、ｘｖＹＣＣなど新たな色空間用にフィールドが追加された。ＨＤＭＩバージョン１．３に対応した機器間で、ｘｖＹＣＣ信号を伝送する場合、これらの規格に対応することにより、受け手と送り手で正しい色域の表示（Gamut Mapping）が実現可能である。
【０００７】
従来技術として、特許文献１には、色域が拡張された標準色空間を利用して所望の色再現を得ることを可能にする技術が開示されている。
【０００８】
【特許文献１】特開２００６−１８０４７７号公報
【発明の開示】
【発明が解決しようとする課題】
【０００９】
ところで、上述のような広色域の映像信号の規格ｘｖＹＣＣで規定されている広色域信号を上記ＨＤＭＩ上に伝送する場合、接続されるディスプレイ（受像機等の表示装置）がｘｖＹＣＣに対応している場合は、ＨＤＭＩのＡＶＩ InfoFrameに伝送する信号の色域識別フラグとメタデータを書くことがフォーマットで定められている。ｘｖＹＣＣ対応ディスプレイは、この信号を判別して、自動的に表示面での色域設定を行うことにより最適な色再現が可能になる。すなわち、従来の色域の信号と広色域の信号が切り替わった場合、ディスプレイ側あるいはモニタ側では、上記ＡＶＩ InfoFrameの情報を基に、色域の設定を切り替えることになるが、実際の信号の変化点とＡＶＩ InfoFrameの制御信号の切り替わり点を合わせることは非常に困難である。例え送り手側で変化点を合わせても受け手側でタイミングがずれることがあり、またその逆も想定される。実際の信号とモニタ側の色域の設定タイミングが異なると、そのトランジェントにより、一瞬望ましくない色の映像が表示されてしまうという問題点がある。
【００１０】
本発明は、このような従来の実情に鑑みて提案されたものであり、色空間規格が異なる複数の画像信号（映像信号）が混在する場合、モニタ側の色域の設定が切り替わることによる映像の色味の変化やトランジェントによる劣化等を防ぐことができるような画像信号出力装置及び方法を提供することを目的とする。
【課題を解決するための手段】
【００１１】
上述の課題を解決するために、本発明は、第１の色空間規格の画像信号と当該第１の色空間規格で規定される色域よりも広い色域の第２の色空間規格の画像信号とを処理して出力する画像信号出力装置であって、上記第１の色空間規格の画像信号に対して色域を上記第２の色空間規格の色域に擬似的に拡張した擬似広色域信号に変換する色域変換処理手段と、上記色域変換処理手段からの擬似広色域信号を含む画像信号と色空間情報とを伝送する伝送手段と、上記第１の色空間規格の画像信号と上記第２の色空間規格の画像信号とが混在する画像信号を伝送する場合に、上記第１の色空間規格の画像信号を上記色域変換処理手段により上記第２の色空間規格の色域に擬似的に拡張し、擬似的に拡張された擬似広色域信号及び上記第２の色空間規格の画像信号と上記第２の色空間規格の色空間情報とを上記伝送手段により伝送するように制御する制御手段とを有することを特徴とする。
【００１２】
また、本発明は、上述の課題を解決するために、第１の色空間規格の画像信号と当該第１の色空間規格で規定される色域よりも広い色域の第２の色空間規格の画像信号とを処理して出力する画像信号出力方法であって、上記第１の色空間規格の画像信号に対して色域を上記第２の色空間規格の色域に擬似的に拡張した擬似広色域信号に変換する色域変換処理工程と、上記色域変換処理により上記第２の色空間規格の色域に擬似的に拡張された擬似広色域信号を含む画像信号と色空間情報とを伝送する伝送工程とを有し、上記第１の色空間規格の画像信号と上記第２の色空間規格の画像信号とが混在する画像信号を伝送する場合に、上記第１の色空間規格の画像信号を上記第２の色空間規格の色域に擬似的に拡張し、上記第２の色空間規格の色空間情報と共に伝送するように制御することを特徴とする。
【００１３】
ここで、上記第１の色空間規格の画像信号と上記第２の色空間規格の画像信号とが混在する画像信号は、上記第１の色空間規格の画像信号と上記第２の色空間規格の画像信号とが時間的に切り替えられたものであることが挙げられる。また、上記色域変換処理は、上記第１の色空間規格の画像信号の色信号成分について、信号レベルの所定の閾値以下の範囲とそれより上の範囲とでレベル変換ゲインを独立に制御することで色域に擬似的に上記第２の色空間規格の色域に拡張することが挙げられ、さらに、上記第１の色空間規格の画像信号の色信号成分について、信号レベルの所定の閾値以下の範囲の信号をそのまま用い、所定の閾値より上の範囲の信号を上記第２の色空間規格の色域に拡張するようにレベル変換することが好ましい。
【００１４】
このような本発明では、第１の色空間規格の画像信号と第２の色空間規格の画像信号とが混在する画像信号について、第１の色空間規格の画像信号を第２の色空間規格の色域に擬似的に拡張し、色空間情報を第２の色空間規格のものに固定して、画像信号と共に伝送する。
【発明の効果】
【００１５】
本発明によれば、第１の色空間規格の画像信号と第２の色空間規格の画像信号とが混在する画像信号について、第１の色空間規格の画像信号については第２の色空間規格の色域に擬似的に拡張し、この擬似的に拡張された擬似広色域信号及び上記第２の色空間規格の画像信号と、第２の色空間規格の色空間情報に固定された色空間情報とを伝送することにより、伝送される色空間情報に基づくディスプレイ側（モニタ側）での色域の設定の切り替えが不要となり、映像の色味の変化やトランジェントによる劣化等を防ぐことができ、最適な色域を得ることが可能となる。
【発明を実施するための最良の形態】
【００１６】
以下、本発明を適用した具体的な実施の形態について、図面を参照しながら詳細に説明する。
【００１７】
図１は、本発明の一実施の形態に係る再生システムを示す図である。この再生システムは、画像信号出力装置としての記録再生装置１と、画像を表示する受像機２とが、ＨＤＭＩ（High-Definition Multimedia Interface）ケーブル３を介して接続されている。受像機２は、第１の色空間規格の画像データ及び第１の色空間規格で規定される色域よりも広い色域の第２の色空間規格の画像データを表示することが可能となっており、さらに、第１の色空間規格の画像データを第２の色空間規格の画像データに擬似的に色域を伸張して表示することも可能となっている。第１の色空間規格の例としては、ｓＲＧＢ（ＩＥＣ６１９６６−２−１）、ＩＴＵ−Ｒ  ＢＴ．７０９等が挙げられる。また、第２の色空間規格の例としては、ｘｖＹＣＣ等が挙げられる。
【００１８】
ｘｖＹＣＣは、国際電気標準会議（ＩＥＣ）が国際標準（IEC 61966-2-4）として発行した規格であり、ＨＤＴＶ（High Definition TeleVision）で利用するＩＴＵ−Ｒ  ＢＴ．７０９の色域（ｓＲＧＢと同等）との互換性を確保しながら、色空間を広げたものである。そして、このｘｖＹＣＣによれば、現行の動画コンテンツの色空間規格「ＩＴＵ−Ｒ  ＢＴ．７０９」（静止画ではｓＲＧＢに相当）では表現できない色を表現することができる。
【００１９】
図２は、ｘｖＹＣＣの色域を平面に投射した場合の模式図である。この図２において、色域ａはｓＲＧＢの色域であり、色域ｂはｘｖＹＣＣで拡張された色域である。図２に示すようにｓＲＧＢでは、Ｒ，Ｇ，Ｂそれぞれを０〜１で表現する色のみを利用してきたのに対し、ｘｖＹＣＣでは負の値や１を超える色も定義されている。したがって、例えば、受像機２がｓＲＧＢの色域ａの映像コンテンツを色域ｂにまで伸張する処理（以下「色域伸張処理」という。）を行って、物体の素材感・立体感を忠実に再現すれば、ユーザは広色域のカラー画像を楽しむことができる。
【００２０】
ＨＤＭＩケーブル３の規格であるＨＤＭＩは、ＩＥＥＥ１３９４の上位互換とされており、物理層にはＴＭＤＳ（Transition Minimized Differential Signaling）、信号の暗号化にはＨＤＣＰ（High-bandwidth Digital Content Protection）、機器間認証にはＥＤＩＤ（Extended Display Identification Data）、系全体の制御系接続にはＣＥＣ（Consumer Electronics Control）が採用されている。また、ＨＤＭＩバージョン１．３には、メタデータとｘｖＹＣＣ色空間の定義が追加されている。したがって、例えば、受像機２が記録再生装置１から受信したメタデータと自身の色域情報（色空間情報）とに基づいて画像データを色域伸張処理すれば、より具体的には画像データに対し機器間の色空間の変換処理（Gamut Mapping Algorithm）をすれば、正しい色を再現することができる。
【００２１】
図１に戻って、再生システムの構成について説明する。画像信号出力装置としての記録再生装置１は、ＭＰＥＧ（Moving Picture Expert Group）デコーダ１１と、ビデオ・グラフィック・プロセッサ１２と、ホストＣＰＵ（Central Processing Unit）１３と、ＨＤＭＩ  Ｔｘ（トランスミッタ）１４と、ＨＤＭＩコネクタ１５とを備えている。
【００２２】
ＭＰＥＧデコーダ１１は、ＭＰＥＧ１、ＭＰＥＧ２、ＭＰＥＧ４、ＭＰＥＧ４−ＡＶＣ／Ｈ．２６４などのビデオストリームをデコードし、ベースバンド信号を生成する。
【００２３】
ビデオ・グラフィック・プロセッサ１２は、ＭＰＥＧデコーダ１１にて生成されたベースバンド信号を所望の画枠サイズへ変換処理したり、複数のベースバンド信号を合成処理したりする。
【００２４】
ホストＣＰＵ１３は、ＭＰＥＧデコーダ１１及びビデオ・グラフィック・プロセッサ１２を制御する。例えば、ＭＰＥＧデコーダ１１に所望のビデオストリームのデコードを指示し、ビデオ・グラフィック・プロセッサ１２にデコードされたベースバンド信号を用いた合成画像の生成や、色域の擬似的な伸張処理等を指示する。また、処理された画像の色空間規格を決定し、その色空間情報をＨＤＭＩ  Ｔｘ１４に送る。また、ホストＣＰＵ１３は、ＨＤＭＩケーブル３のＤＤＣ（Display Data Channel）ラインにより受像機２と通信を行う。
【００２５】
ＨＤＭＩ  Ｔｘ１４は、ビデオ・グラフィック・プロセッサ１２にて信号処理された映像音声信号とともに、ホストＣＰＵ１３から送られた色空間情報としての色空間規格を示す色域識別フラグ、色域の付随情報であるメタデータなどの属性データをＴＭＤＳ信号に変換し、ＨＤＭＩコネクタ１５に出力する。この属性データは、ＨＤＭＩ規格で定義されているＡＶＩ（Auxiliary Video Information）InfoFrameを使って伝送することができる。
【００２６】
ＨＤＭＩコネクタ１５は、ＨＤＭＩケーブル３と接続され、ＨＤＭＩ  Ｔｘ１４にて変換されたＴＭＤＳ信号を受像機２に伝送する。
【００２７】
次に、受像機２の構成について説明する。受像機２は、ＨＤＭＩコネクタ２１と、ＨＤＭＩ  Ｒｘ（レシーバ）２２と、ホストＣＰＵ２３と、ＥＤＩＤＲＯＭ（Extended Display Identification Data Read Only Memory）２４と、ビデオ・グラフィック・プロセッサ２５と、ディスプレイデバイス２６とを備えている。
【００２８】
ＨＤＭＩコネクタ２１は、ＨＤＭＩケーブル３と接続され、ＴＭＤＳ信号を受信する。
【００２９】
ＨＤＭＩ  Ｒｘ２２は、ＴＭＤＳ信号から映像音声信号と属性データとを取得し、映像信号をビデオ・グラフィック・プロセッサ２５に送る。
【００３０】
ホストＣＰＵ２３は、属性データに基づいて、例えばビデオ・グラフィック・プロセッサ２５の色域伸張処理のオン／オフを制御する。具体的には、例えば、属性データの色空間情報（色域識別フラグ）がＩＴＵ−Ｒ  ＢＴ．７０９の場合、ビデオ・グラフィック・プロセッサ２５の色域伸張処理をオン状態にし、属性データの色空間情報がｘｖＹＣＣの場合、ビデオ・グラフィック・プロセッサ２５の色域伸張処理をオフ状態にする。
【００３１】
ＥＤＩＤＲＯＭ２４には、受像機２のディスプレイ情報が記憶されており、例えば、受像機２の対応解像度情報、色域の種別を示す色空間情報が書き込まれている。ＥＤＩＤＲＯＭ２４に記憶されたディスプレイ情報は、ＨＤＭＩケーブル３のＤＤＣ（Display Data Channel）ラインを介して記録再生装置１に提供される。
【００３２】
次に図３は、図１の画像信号出力装置としての記録再生装置１の構成を具体的に示すブロック図である。記録再生装置１は、ライン入力端子４１と、アナログチューナ４２と、ディスクドライブ４３と、ハードディスクドライブ４４と、ＩＥＥＥ１３９４端子４５と、デジタルチューナ４６と、ライン入力端子４１又はアナログチューナ４２からの入力信号のいずれか１つを選択するセレクタ４７と、セレクタ４７からの映像音声信号をデコードするビデオデコーダ４８と、ビデオデコーダ４８にてデコードされたベースバンド信号又はビデオ・グラフィック・プロセッサ５４にて画像合成等の信号処理が施されたベースバンド信号のいずれか１つを選択するセレクタ４９と、セレクタ４９からのベースバンド信号をエンコードするＭＰＥＧエンコーダ５０と、ＨＤＶ（High-Definition Video）プロセッサ５１と、ストリームプロセッサ５２と、ＭＰＥＧデコーダ５３ａ，５３ｂと、ビデオ・グラフィック・プロセッサ５４と、ＨＤＭＩ  Ｔｘ５５と、ＤＡＣ５６と、ＨＤＭＩコネクタ５７と、コンポーネント端子５８と、コンポジット端子５９と、ホストＣＰＵ６０とを備えている。
【００３３】
ここで、ＭＰＥＧデコーダ５３ａ，５３ｂ、ビデオ・グラフィック・プロセッサ５４、ＨＤＭＩ  Ｔｘ５５、ＨＤＭＩコネクタ５７、ホストＣＰＵ６０は、それぞれ図１に示すＭＰＥＧデコーダ１１、ビデオ・グラフィック・プロセッサ１２、ＨＤＭＩ  Ｔｘ１４、ＨＤＭＩコネクタ１５、ホストＣＰＵ１３に対応するものである。
【００３４】
続いて、記録再生装置１における記録動作について説明する。ライン入力端子４１から入力される映像信号と、アナログチューナ４２から出力される映像信号は、セレクタ４７で所望の入力が選択された後、ビデオデコーダ４８に入力される。ビデオデコーダ４８は、例えば入力されたＮＴＳＣ方式のアナログ映像信号をＡ／Ｄ変換した後、輝度信号とクロマ信号とに分離するとともにデコード処理を施す。デコードされたベースバンドビデオ信号は、セレクタ４７、及びビデオ・グラフィック・プロセッサ５４に入力される。セレクタ４９で、ビデオデコーダ４８からの出力と、ビデオ・グラフィック・プロセッサ５４からの出力とのいずれかを選択した後、選択されたベースバンド信号がＭＰＥＧエンコーダ５０に入力される。ＭＰＥＧエンコーダ５０は、ＭＰＥＧ１、ＭＰＥＧ２、ＭＰＥＧ４、ＭＰＥＧ４−ＡＶＣ／Ｈ．２６４など所望のエンコードを行う。エンコードされたストリームは、ストリームプロセッサ５２に入力される。ストリームプロセッサ５２から、ＢＤ（Blu-ray Disc、商標）、ＤＶＤ（Digital Versatile Disc）などのディスクドライブ４３やハードディスクドライブ４４などにストリームが送られ、所望のメディアに記録される。
【００３５】
また、ＩＥＥＥ１３９４入力端子４５から入力されたストリームは、ＨＤＶプロセッサ５１を経てストリームプロセッサ５２に入力され、デジタルチューナ４６からのストリームもストリームプロセッサ５２に入力される。ストリームプロセッサ５２に入力されたストリームは、ＢＤ、ＤＶＤなどのディスクドライブ４３やハードディスクドライブ４４などの所望のメディアに記録される。
【００３６】
また、ストリームプロセッサ５２に入力されたストリームは、ストリームプロセッサ５２で所望のビデオストリームの抜き出しやパーズなどの処理を施し、ＭＰＥＧデコーダ５３でデコードした後、ビデオ・グラフィック・プロセッサ５４、セレクタ４９を経由してＭＰＥＧエンコーダ５０に入力される。ＭＰＥＧエンコーダ５０は、ＭＰＥＧ１、ＭＰＥＧ２、ＭＰＥＧ４、ＭＰＥＧ４−ＡＶＣ／Ｈ．２６４など所望のエンコードを行い、エンコードされたストリームは、ストリームプロセッサ５２に入力される。ストリームプロセッサ５２から、ＢＤ、ＤＶＤなどのディスクドライブ４３やハードディスクドライブ４４などにストリームが送られ、所望のメディアに記録される。
【００３７】
次に、記録再生装置１における再生動作について説明する。ＢＤ、ＤＶＤなどのディスクドライブ４３やハードディスクドライブ４４で再生されたストリームは、ストリームプロセッサ５２に入力される。ストリームプロセッサ５２は、所望のビデオストリームの抜き出しやパーズを行った後、ＭＰＥＧデコーダ５３ａ、５３ｂに送る。ＭＰＥＧデコーダ５３ａ、５３ｂはストリームから画像データの色空間属性に関する情報（色空間情報）をパーズする。また、ＭＰＥＧデコーダ５３ａ、５３ｂは、画像データをデコードする。ＭＰＥＧデコーダ５３ａ、５３ｂでデコードされたベースバンドビデオ信号は、ビデオ・グラフィック・プロセッサ５４に入力される。ビデオ・グラフィック・プロセッサ５４では、例えば、所望の画枠サイズへの変換処理や種々のビデオ信号処理を施し、該映像信号にグラフィックス信号などを合成した後、ＨＤＭＩ  Ｔｘ５５に送られる。ＨＤＭＩ  Ｔｘ５５では、入力されたベースバンド信号をＴＭＤＳ信号に変換して、制御信号とともにＨＤＭＩコネクタ５７に出力する。また、ビデオ・グラフィック・プロセッサ５４の出力は、ＤＡＣ５６に入力され、Ｄ／Ａ変換したアナログコンポーネント信号がコンポーネント端子５８に出力されるとともに、Ｄ／Ａ変換したアナログコンポジットビデオ信号（あるいはＹ／Ｃセパレートビデオ信号）もコンポジットビデオ端子（あるいはＳ端子）５９に出力される。
【００３８】
ここで、上記ｘｖＹＣＣ規格のような広色域の画像信号の場合について説明すると、広色域映像信号とともに、色空間情報としての色域の種別を識別するための識別フラグ、及び色域の付随情報であるメタデータ等が記録されたＢＤ、ＤＶＤなどのディスクは、ディスクドライブ４３で再生される。
【００３９】
再生された広色域映像信号、識別フラグ、メタデータ等を含んだストリームがストリームプロセッサ５２に入力され、ストリームプロセッサ５２では、ストリームのパーズを行い、識別フラグ、及びメタデータを抽出する。ホストＣＰＵ６０は、該識別フラグ、及びメタデータを取得する。ｘｖＹＣＣを示す識別フラグ及びメタデータはエレメンタリーストリームの付加情報として記録してあるので、ビデオ信号との同期は常に保たれる。
【００４０】
広色域映像信号を含んだストリームは、前述の再生系の説明の通り、ＭＰＥＧデコーダ５３ａ、５３ｂでデコードされた後、ビデオ・グラフィック・プロセッサ５４を経てＨＤＭＩ  Ｔｘ５５に送られる。
【００４１】
また、ホストＣＰＵ６０は、ＨＤＭＩコネクタ５７に接続されたＨＤＭＩケーブル３のＤＤＣ（Display Data Channel）ラインにより受像機２と通信を行い、受像機２に内蔵するＨＤＭＩ  Ｒｘ（レシーバ）２２、ホストＣＰＵ２３を介して、ＥＤＩＤ（Extended Display Identification Data）ＲＯＭ２４に書かれているディスプレイ情報を取得する。ＥＤＩＤ  ＲＯＭ２４には、受像機２の対応解像度情報などの他に、色域の種別を示す色空間情報（カラリメトリ情報）も書かれている。したがって、ホストＣＰＵ６０は、ディスプレイ情報を取得することにより、接続している受像機２が広色域映像信号に対応しているか否かを判別することができる。そして、ＨＤＭＩケーブル３によって接続された受像機２が広色域映像信号に対応している場合、ホストＣＰＵ６０は、広色域映像信号を伝送する際、映像信号の属性としてディスクから取得した色空間情報である色域識別フラグ、及びメタデータをＨＤＭＩ  Ｔｘ５５にセットすることができる。
【００４２】
ＨＤＭＩ  Ｔｘ５５は、映像音声信号とともに色域識別フラグ、メタデータなどの属性データをＴＭＤＳ信号に変換し、ＨＤＭＩコネクタ５７から出力する。色域の種別を示す識別フラグ、メタデータは、ＨＤＭＩ規格で定義されているＡＶＩ（Auxiliary Video Information）InfoFrame を使って伝送することができる。例えば、色空間情報としての色域識別フラグは、ＡＶＩ InfoFrame パケット内のColorimetry やExtended Colorimetry で定義される。また、オーディオ信号の属性データは、Audio InfoFrame を用いることができる。コンポーネント端子５８、コンポジットビデオ端子（あるいはＳ端子）５９からは、色域識別フラグ、メタデータなどの属性データを伝送することはできないが、広色域のアナログコンポーネント信号、アナログコンポジットビデオ信号（あるいはＹ／Ｃセパレートビデオ信号）を出力することができる。
【００４３】
次に、図３のビデオ・グラフィック・プロセッサ５４について、図４を参照しながら説明する。図４は、画像を合成する際のビデオ・グラフィック・プロセッサ５４の機能ブロック図を示す。
【００４４】
図４において、ビデオ・グラフィック・プロセッサ５４は、メモリ３０１と、合成処理部３０２ａ〜３０２ｄと、グラフィックエンジン３０６と、ＪＰＥＧエンジン３０７とを備えている。ここで、合成処理部３０２ａ〜３０２ｄは、出力フォーマット毎に用意されており、それぞれスケーラ３０８と、カラーエキスパンダ３０９と、ブレンダ３１０と、ビデオエンコーダ３１１とを備えている。
【００４５】
ビデオデコーダ４８の出力、及びＭＰＥＧデコーダ５３ａ、５３ｂの出力は、メモリ３０１のビデオ・プレーンに書き込まれる。また、グラフィックエンジン３０６は、メモリ３０１のグラフィックス・プレーンにグラフィックス・データを書き込む。ＪＰＥＧエンジン３０７は、ＪＰＥＧファイルをデコードして、メモリ３０１のビデオ・プレーンにＪＰＥＧデータを書き込む。メモリ３０１に書き込まれた画像データは、各プレーンから読み出され、スケーラ３０８で所望のサイズへのスケーリングなどが行われ、カラーエキスパンダ３０９を介してブレンダ３１０に送られる。カラーエキスパンダ３０９では、第１の色空間規格の画像信号に対して、色域を第２の色空間規格の色域に擬似的に拡張した擬似広色域信号に変換する色域変換処理を行っており、具体的には、ｓＲＧＢの色域を擬似的にｘｖＹＣＣの色域にエキスパンド（色域伸張処理）して、ブレンダ３１０に送る。ブレンダ３１０は、各プレーンから読み出された画像の合成等を行う。ビデオエンコーダ３１１は、所望の出力仕様になるようにタイミング生成、同期信号の付加などを行う。合成処理部３０２ｂ〜３０２ｄは、合成処理部３０２ａと同様の回路構成から成り、出力の形態に応じた処理を行う。
【００４６】
次に、カラーエキスパンダ３０９における、ＢＴ．６０１やＢＴ．７０９（第１の色空間規格）の色域を擬似的にｘｖＹＣＣ（第２の色空間規格）の色域に変換するエキスパンド処理（色域伸張処理）の一例について説明する。
【００４７】
ＢＴ．６０１やＢＴ．７０９ではクロマ（Ｃｒ，Ｃｂ）信号のレベルの値は、１６−２４０で規定されている。ｘｖＹＣＣでは、更に色域を拡張するために、１−２５４の値の信号レベルを扱うことができる。ここでは、従来のレベルの信号を擬似的に広色域に変化する一方法について図５を用いて説明する。
【００４８】
図５は、上記クロマ信号であるＣｒ信号とＣｂ信号の伸張処理の際のレベル変換の一例を示す図である。すなわち、図５の（Ａ）がＣｒ信号、（Ｂ）がＣｂ信号を示し、Ｃｒ信号及びＣｂ信号のそれぞれについて、カラーエキスパンダ３０９の入力に対する出力を示している。カラーエキスパンダ３０９に入力されるＣｒ信号は前述したように、ＢＴ．６０１やＢＴ．７０９では、１６−２４０のレベル範囲に規定される。これを擬似ｘｖＹＣＣ信号に変換する場合、所定のレベル範囲、例えば３６−２２０のレベル範囲の信号はそのまま（増幅率１として）通過させ、レベル範囲が１６−３６の信号と２２１−２４０の信号については、それぞれ線形処理にてレベル変換（１より大きな一定増幅率によるレベル伸張）を行い、１６−３６のレベル範囲は１−３６に伸張し、２２１−２４０のレベル範囲は２２１−２５４に伸張するような変換を行う。この結果、原信号の比較的飽和度の高い色信号が更に伸張されることにより擬似ｘｖＹＣＣ信号が生成される。Ｃｂ信号についても同様に伸張を行う。このような色域伸張処理が行われた擬似ｘｖＹＣＣ信号に対しては、色空間情報として、ｘｖＹＣＣフラグ（第２の色空間規格の色空間情報）を用いることができ、ｘｖＹＣＣ信号と擬似ｘｖＹＣＣ信号とが混在しても、色空間情報にはｘｖＹＣＣフラグを固定して出力し伝送することができる。
【００４９】
図５では、Ｃｒ，Ｃｂ信号の伸張処理の一例について説明したが、ＲＧＢ信号にて同様の色域伸張を行ってもよい。また、レベルの閾値を変えてもよく、閾値を境界として、閾値以下とそれより上の範囲とでレベル変換のゲイン（増幅率）を独立に制御するようにしてもよい。さらに、レベル変換を非線形処理することでも同様の効果は得られる。
【００５０】
次に、図６、図７を用いて、カラーエキスパンダ３０９の制御動作及び入出力信号の一例について説明する。
【００５１】
図６のホストＣＰＵ６０は、現在出力している映像信号の色空間規格がｘｖＹＣＣであるか否かを検出し、その結果を、カラーエキスパンドＯＮ／ＯＦＦ信号としてカラーエキスパンダ３０９に送る。カラーエキスパンダ３０９は、このホストＣＰＵ６０のカラーエキスパンドＯＮ／ＯＦＦ信号により、伸張処理のＯＮ／ＯＦＦを行う。すなわち、図７の（Ａ）に示すようなｘｖＹＣＣと７０９／６０１信号が混在する映像信号が入力される場合に、７０９／６０１信号に対しては伸張処理がＯＮされて、擬似ｘｖＹＣＣ信号に変換されるため、図７の（Ｂ）に示すように、常に広色域の出力信号を得ることができ、映像信号と共に伝送する色空間情報は、図７の（Ｃ）に示すように、広色域を示す色域識別フラグ（ｘｖＹＣＣ識別信号）に固定することができる。
【００５２】
ここで、伸張処理される前の、ｘｖＹＣＣと７０９／６０１信号が混在する場合、従来においてはその信号に合わせてＨＤＭＩＴｘ１１６のＡＶＩの色空間情報を変化させなければならないが、このように常時ｘｖＹＣＣもしくは擬似ｘｖＹＣＣ信号を送ることにより、一定の色域識別フラグ（ｘｖＹＣＣ識別信号）を送ることが可能となる。
【００５３】
図１の受像機２側（モニタ側）では、一定の色域識別フラグ（ｘｖＹＣＣ識別信号）が固定的に送られるため、従来のように、異なる色空間規格に応じた色域の設定の切り替えが不要となり、映像の色味の変化やトランジェントによる劣化等を防ぐことができる。
【００５４】
以上説明した本発明の実施の形態によれば、色空間規格が異なる映像が混在する場合、通常の７０９／６０１信号を擬似ｘｖＹＣＣ信号に変換することにより、従来において問題であった、受け手側と送り手側の切替タイミングにより望ましくない映像が表示されることを防ぐことが可能となる。なお、上述したように、送り側では、エレメンタリーストリーム上に付加された色空間情報としてのｘｖＹＣＣフラグを検出するため、内部的にはｘｖＹＣＣ信号と擬似ｘｖＹＣＣとの切替タイミングを正確に制御可能である。
【００５５】
また、コンポーネント信号等のアナログ伝送の場合、ＨＤＭＩにて規定されているフラグを伝送できないため、送り側にて常時ｘｖＹＣＣ信号（擬似ｘｖＹＣＣ含む）を出力することにより最適な色域を得ることが可能である。
【００５６】
上述した本発明の実施の形態においては、第１の色空間規格（例えばＳＭＰＴＥ  １７０Ｍ／ＩＴＵ６０１若しくはＩＴＵ７０９）の画像信号と、第２の色空間規格（例えばｘｖＹＣＣ）の画像信号とが時間的に切り替えられる場合について説明したが、これらの異なる色空間規格の複数の画像信号が同時に空間的に混在する場合についても、本発明を適用することができる。この場合は、第１の色空間規格の画像信号と第２の色空間規格の画像信号とを合成して一つの画像信号を生成する際に、第１の色空間規格の画像信号については第２の色空間規格の色域に擬似的に拡張した後に合成するようにし、色空間情報は第２の色空間規格のものに固定して出力し伝送すればよい。
【００５７】
なお、本発明は上述した実施の形態のみに限定されるものではなく、本発明の要旨を逸脱しない範囲において種々の変更が可能であることは勿論である。
【図面の簡単な説明】
【００５８】
【図１】本発明の実施の形態となる画像信号出力装置を用いた再生システムを示す図である。
【図２】ｘｖＹＣＣの色域を平面に投射した場合の模式図である。
【図３】画像信号出力装置としての記録再生装置の構成を具体的に示すブロック図である。
【図４】ビデオ・グラフィック・プロセッサの構成を示すブロック図である。
【図５】画像を合成する際のビデオ・グラフィック・プロセッサの機能ブロック図である。
【図６】カラーエキスパンダの制御を行うための構成を概略的に示すブロック図である。
【図７】カラーエキスパンダの入出力信号及び出力信号に対する色空間情報の一例を説明するためのタイミングチャートである
【符号の説明】
【００５９】
１  記録再生装置、  ２  受像機、  ３  ＨＤＭＩケーブル、  １１  ＭＰＥＧデコーダ、  １２  ビデオ・グラフィック・プロセッサ、  １３  ホストＣＰＵ、  １４  ＨＤＭＩ  Ｔｘ（トランスミッタ）、  １５  ＨＤＭＩコネクタ、  ２１  ＨＤＭＩコネクタ、  ２２  ＨＤＭＩ  Ｒｘ（レシーバ）、  ２３  ホストＣＰＵ、  ２４  ＥＤＩＤＲＯＭ、  ２５  ビデオ・グラフィック・プロセッサ、  ２６  ディスプレイデバイス、  ４１  ライン入力端子、  ４２  アナログチューナ、  ４３  ディスクドライブ、  ４４  ハードディスクドライブ、  ４５  ＩＥＥＥ１３９４入力端子、  ４６  デジタルチューナ、  ４７  セレクタ、  ４８  ビデオデコーダ、  ４９  セレクタ、  ５０  エンコーダ、  ５１  ＨＤＶプロセッサ、  ５２  ストリームプロセッサ、  ５３  デコーダ、  ５４  ビデオ・グラフィック・プロセッサ、  ６０  ホストＣＰＵ、  ３０９  カラーエキスパンダ
【図１】
2009038683.tif 000003
【図２】
2009038683.tif 000004
【図３】
2009038683.tif 000005
【図４】
2009038683.tif 000006
【図５】
2009038683.tif 000007
【図６】
2009038683.tif 000008
【図７】
2009038683.tif 000009